(57)【要約】【課題】  家庭などにおいて、乳幼児の成長過程を比較的簡単に診断できる乳幼児発育診断装置およびそのプログラムを提供する。【解決手段】  制御部１は、メモリ６に記憶されている質問プログラムに基づいて表示部４に乳幼児の発育に関する質問事項を表示し、利用者がキーボード２から質問事項に対する回答を入力すると、制御部１はメモリ７に記憶されている診断プログラムに基づいて診断を行い、各質問事項ごとの発育の遅れの有無などを診断して、その診断結果を表示部４に表示する。【選択図】      図１
2006107159.tif 000002
【特許請求の範囲】
【請求項１】
乳幼児の発育状況を診断する乳幼児発育診断装置であって、
質問事項を表示する表示手段と、
前記表示手段の表示を見た利用者が各質問事項に対する回答を入力するための入力手段と、
前記乳幼児の発育状況や育児に関する質問事項を前記表示手段に表示するとともに、前記入力手段から入力された回答に基づいて、当該乳幼児の各質問事項ごとの発育の遅れの有無を診断する制御手段とを備えた、乳幼児発育診断装置。
【請求項２】
前記制御手段は、前記発育の遅れを期間として前記表示手段に表示する、請求項１に記載の乳幼児発育診断装置。
【請求項３】
前記質問事項は、少なくとも運動性，社会性に関する質問を含む、請求項１または２に記載の乳幼児発育診断装置。
【請求項４】
前記制御手段は、質問プログラムに基づいて前記表示手段に質問事項を表示し、前記入力手段から回答が入力されたことに応じて、診断プログラムに基づいて診断を行い、診断結果を前記表示手段に表示する、請求項１から３のいずれかに記載の乳幼児発育診断装置。
【請求項５】
前記制御手段は、
通信回線と、
前記通信回線に接続されるとともに、前記質問プログラムに基づいて質問事項を前記表示手段に表示し、前記入力手段から入力された回答を前記通信回線に出力する制御部と、
前記通信回線に接続され、前記通信回線に出力された回答に基づいて診断プログラムに基づいて診断を行って前記通信回線を介して前記制御部に出力するサーバとを含む、請求項４に記載の乳幼児発育診断装置。
【請求項６】
乳幼児の発育状況を診断する乳幼児発育診断プログラムであって、
複数の質問事項を順次表示するためのステップと、
前記各質問事項に対して順次入力された回答を判別するためのステップと、
前記判別された回答結果に基づいて、当該乳幼児の各質問事項ごとの発育の遅れの有無を診断するステップとを備える、乳幼児発育診断プログラム。
【発明の詳細な説明】
【技術分野】
【０００１】
この発明は、乳幼児発育診断装置およびそのプログラムに関し、特に、乳幼児の成長過程における精神的・体力的な発育状況を診断する乳幼児発育診断装置およびそのプログラムに関する。
【背景技術】
【０００２】
乳幼児は、生後１〜１２ヶ月および生後１〜３年の期間に精神的・体力的に著しい成長を遂げる。この成長が正常に行われていれば問題ないが、一部でも成長が遅れていれば早期に発見して対策を施す必要がある。このために、親は定期的に乳幼児を病院の小児科などに連れて行って、成長が遅れているか否かが小児科の医師によって診断される。
【０００３】
この診断においては、例えば、生後１〜１２ヶ月の期間では「寝ていて自由に首の向きを変えるか」、「入浴のときなど足をぴんぴんさせるか」などの運動動作や、「手を開いたり閉じたりできるかなどの探索・操作や、「物，顔などをじっと見つめることができるか」などの社会性について診断が行われる。
【０００４】
また、生後１〜３年の期間では「立って両手を高く上げる」、「座っているところに手をついて、立ち上がる」などの運動動作や、「鏡を相手に遊ぶことができるか」などの社会性についての診断が行われる。これらの診断では、小児科医が乳幼児に付き添っている親に対して質問し、親がその質問に対して答えると、その結果に基づいていずれの分類の各項目に関して、乳幼児の発育が遅れているかなどを診断する。
【発明の開示】
【発明が解決しようとする課題】
【０００５】
この診断項目は成長するにつれて増えていく。例えば、生後１ヶ月では、およそ１２項目程度で済むのに対して、生後１２ヵ月後では１３０項目になる。また、生後３年では３３０余りもの項目について診断する必要がある。このため、乳幼児の成長に伴って病院での診察時間が長くなり、親のみならず、病院にとっても大きな負担となっていた。
【０００６】
そこで、この発明の目的は、家庭などにおいて、乳幼児の成長過程における精神的・体力的な発育状況を比較的簡単に診断できるようにすることで親や医師の負担を軽減できる乳幼児発育診断装置およびそのプログラムを提供することである。
【課題を解決するための手段】
【０００７】
この発明は乳幼児の発育状況を診断する乳幼児発育診断装置であって、質問事項を表示する表示手段と、利用者が表示手段の表示を見て、各質問事項に対する回答を入力するための入力手段と、乳幼児の発育状況や育児に関する質問事項を表示手段に表示するとともに、入力手段から入力された回答に基づいて、当該乳幼児の各質問事項ごとの発育の遅れの有無を診断する制御手段とを備える。
【０００８】
したがって、この発明では、発育状況や育児に関する質問を表示して、その回答を入力することで乳幼児の発育状況を即座に診断できるので、病院に来れなくても電話やインターネットを介して、家庭などにおいても乳幼児の発育状況を診断でき、親や医師の負担を軽減できる。
【０００９】
好ましい実施形態では、発育の遅れを期間として表示手段に表示する。この表示により、親は自分の子供発育状況の遅れを時間的な感覚で知ることができる。また、発育状況に関する質問は少なくとも運動性，社会性に関する質問を含む。これにより、各分類ごとの発育状況を把握できる。
【００１０】
好ましくは、制御手段は、質問プログラムに基づいて表示手段に質問事項を表示し、入力手段から回答が入力されたことに応じて、診断プログラムに基づいて診断を行い、診断結果を表示手段に表示する。さらに、制御手段は、通信回線と、通信回線に接続されるとともに質問プログラムに基づいて質問事項を表示手段に表示し、入力手段から入力された回答を通信回線に出力する制御部と、通信回線に出力された回答に基づいて診断プログラムに基づいて診断を行って通信回線を介して制御部に出力するサーバとを含む。
【００１１】
この発明の他の局面は、乳幼児の発育状況を診断する乳幼児発育診断プログラムであって、複数の質問事項を順次表示するためのステップと、各質問事項に対して順次入力された回答を判別するためのステップと、判別された回答結果に基づいて、当該乳幼児の各質問事項ごとの発育の遅れの有無を診断するステップとを備える。
【発明を実施するための最良の形態】
【００１２】
図１はこの発明の一実施形態における乳幼児発育診断装置のブロック図であり、家庭内でパーソナルコンピュータを用いて乳幼児の発育状況を診断できるものである。
【００１３】
図１において、パーソナルコンピュータは制御手段としての制御部１と、入力手段としてのキーボード２と、プリンタ３と、表示手段としての表示部４と、記録手段としての記録部５と、メモリ６〜８とを含む。制御部１にはキーボード２とプリンタ３と表示部４と記録部５とメモリ６〜８とが接続されている。
【００１４】
キーボード２は表示部４に表示される質問事項に対する回答を入力するものであり、プリンタ３は必要に応じて入力された回答を印字する。記録部５は入力された回答などをフレキシブルディスクなどの記録媒体に記録する。メモリ６には乳幼児の発育状況や育児に関する質問事項を表示部４に表示するための質問プログラムが記憶されており、メモリ７には質問事項に対してキーボード２から入力された回答に基づいて乳幼児の発育状況を診断するための診断プログラムが記憶されており、メモリ８は診断結果を記憶する診断結果データベースとして機能する。
【００１５】
この実施形態では、表示部４に表示された質問事項に対して、キーボード２から回答を入力することで表示部４に診断結果が表示されるが、より詳細な診断が必要であれば、質問に対して入力した回答を記録部５でフレキシブルディスクに記録し、小児科医のところに持参して詳細な診断を行ってもよい。
【００１６】
また、図１はパーソナルコンピュータを用いて乳幼児の発育状況を診断するが、これに限らずインターネットを介して乳幼児の発育状況を診断するようにしてもよい。
【００１７】
図２はそのような実施形態を示すブロック図である。図２において、キーボード２とプリンタ３と表示部４とメモリ６とが接続された制御部１が通信回線１０に接続されている。メモリ６には質問プログラムが記憶されている。また、通信回線１０にはサーバ１１が接続されており、サーバ１１にはメモリ１２，１３とが接続されている。
【００１８】
メモリ１２には質問に対してキーボード２から入力された回答に基づいて乳幼児の発育状況を診断するための診断プログラムが記憶されており、メモリ１３は診断結果を記憶する診断結果データベースとして機能する。なお、制御部１に接続されているメモリ６はサーバ１１に接続し、制御部１からの要求により質問プログラムに基づく質問事項を通信回線１０を介して制御部１に送り、表示部４に質問事項を表示するようにしてもよい。
【００１９】
図３はこの発明の一実施形態における質問動作を説明するためのフローチャートであり、図４は同じく診断動作を説明するためのフローチャートであり、図５〜図１７は表示部の表示例を示す図である。
【００２０】
図３に示すステップ（図示ではＳＰと略称する）ＳＰ１において、制御部１は図５に示すように「診断者の名前」，「診断者のＩＤ」，「パスワード」をキーボード２から入力するように、表示部４に表示する。この表示を見て利用者はパスワードなどを入力し、入力を終えると「ＯＫ」の表示をクリックする。入力を間違ったときには「キャンセル」の表示をクリックして最初から入力する。
【００２１】
制御部１は、キーボード２からのキー入力信号を判別し、パスワードなどが入力されると、ステップＳＰ２において、図６に示すように「乳児用ＩＤ」を入力するように表示する。また、今までに診察を受けたことがあるか否かも入力するように表示する。
【００２２】
利用者は、その表示を見て必要な事項をキーボード２から入力し、入力を終えると「ＯＫ」の表示をクリックする。今までに診察を受けたことがあることを入力すると、制御部１は、ステップＳＰ３において診察経験があることを判別し、ステップＳＰ４においてメモリ８の診察データベースを検索して該当する乳幼児の登録されているデータなどを読み出す。もし、診察経験がなければ、制御部１はステップＳＰ５において、図７に示すように診断者用ＩＤや記入日や乳幼児用ＩＤなどの基本情報を入力するように表示する。
【００２３】
利用者が基本情報を入力すると、制御部１はステップＳＰ６において、図８に示すように診断者用ＩＤや記入日や乳児用ＩＤなどの基本情報確認画面を表示部４に表示する。この画面を見て利用者が基本情報を確認して「はい」の表示をクリックすると、制御部１はステップＳＰ７において回答途中で終わっているか否かを判別し、回答途中で終わっていることを判別すると、ステップＳＰ８においてメモリ８の診断結果データベースから途中ファイルを読み出す。そして、図９に示すように回答途中で終わっていることを表示部４に表示する。
【００２４】
利用者が回答途中の診断を続行することを指示すると、制御部１はメモリ８の診断結果データベースの途中ファイルに基づいて診断を続行することを決定し、回答途中の診断を続行しないことを指示すると、最初から診断することを決定する。そして、ステップＳＰ９において、図１０に示す質問を行う旨の表示を行う。この表示を見て利用者が「ＯＫ」の表示をクリックすると、制御部１は順次質問の表示を行う。
【００２５】
質問は、生後１〜１２ヶ月までの乳幼児に対して「運動」，「探索・操作」，「社会」，「食事」，「理解・言語」に関して行われ、生後１〜３才の乳幼児に対して「運動」，「探索・操作」，「社会」，「食事・排泄・生活習慣」，「理解・言語」に関して行われる。
【００２６】
「運動」に関する質問は、「寝ていて自由に首の向きを変える」や「裸にさせたとき、入浴のときなど足をぴんぴんさせる」などの生後１〜４ヶ月の乳幼児であれば正常に成長していると思われる受動的身体統制から順次行われ、次いで「腹ばいで、頭を上げたり、おろしたりする」や「寝ているより、座る方を好む」などの生後５〜８ヶ月の乳幼児であれば正常に成長していると思われる積極的身体統制について行われる。さらに、「つかまって、独りで立ち上がる」などの移動の努力は、生後９か月〜１０ヶ月の乳幼児で正常に成長していると思われる行動であり、「数秒間支えなしで立つ」などの歩行のための協応動作は、生後１０〜１２ヶ月の正常に成長していると思われる乳幼児であれば行う行動である。したがって、生後１０ヶ月の乳幼児であるにも関わらず、寝ていて自由に首の向きを変える程度しかできない場合には、６ヶ月程度成長が遅れているものと診断できる。
【００２７】
「探索・操作」に関する質問は、生後１〜４ヶ月の乳幼児に対して「触れた物を握っている」や「手を開いたり閉じたりする」などの受動的反応について行われ、生後５ヶ月の乳幼児に対して「玩具に手を伸ばしてつかむ」などの有意的操作について行われる。
【００２８】
生後１〜３才の乳幼児に対してもほぼ同様の分類に関して、成長に伴った質問が行われる。
【００２９】
これらの質問は、図１１に示すように、表示部４の中央上部に運動，探索・操作などの分類名が表示され、分類名が変わるごとに字の色が変更される。分類名の下部に質問事項が１問づつ表示され、その右側に質問事項に対応するイラスト画像が表示される。質問に対する回答として「できる」，「わからない」，「できない」が表示され、利用者によって、それらのいずれかが選択される。質問に対して回答すると、「決定して次の質問」，「これまでの結果を保存」，「質問をやめる」の表示のいずれかが選択される。
【００３０】
利用者が表示部４の表示に対して回答すると、制御部１はステップＳＰ１０において回答が行われたことを判別し、ステップＳＰ１１において１つの分類における質問の全てを終了したか否かを判別し、終了していなければステップＳＰ９に戻り、次の質問を行う。制御部１はステップＳＰ９〜ＳＰ１１の処理を繰り返し、１つの分類の処理を終了したことを判別すると、ステップＳＰ１２において次の分類の質問を行う。
【００３１】
利用者が次の分類の質問に対して回答を行い、制御部１がステップＳＰ１３において回答が行われたことを判別すると、制御部１はステップＳＰ１４において、全ての分類についての質問が終了したか否かを判別する。制御部１は全ての分類の質問に対して回答されたことを判別すると、ステップＳＰ１５において図１２に示す質問終了画面を表示する。
【００３２】
なお、各分類の質問において、図１１に示す「これまでの結果を保存する」の表示がクリックされると、制御部１は質問事項に対する回答をメモリ８の診断結果データベースに保存する。また、図１１に示す「質問をやめる」がクリックされると、ステップＳＰ１に示す初期画面が表示される。
【００３３】
制御部１は、図１１に示す質問画面表示において、全ての質問に対する回答が行われると、図１２に示すように質問が終了し、診断に移る旨の表示を行う。そして、制御部１は、利用者によって「診断へ」の表示がクリックされると、図１に示すメモリ７に記憶されている診断プログラムを実行し、図４に示すフローチャートに進む。
【００３４】
診断プログラムでは、ステップＳＰ２１において、図１３に示すように診断者用パスワード入力画面が表示される。この診断においては、各家庭で行われるが、前述のごとくフレキシブルディスクに記録した回答に基づいて小児科医が診断してもよい。
【００３５】
「診断者の名称」と、「診断者のＩＤ」と、「パスワード」を入力するように表示されると、診断者が所定のＩＤなどを入力し、「ＯＫ」の表示をクリックすると、ステップＳＰ２２において、図１４に示す回答確認画面が表示される。この回答確認画面では、診察者ＩＤ，記入日、乳幼児ＩＤ、乳幼児氏名，生年月日とともに、各分類における回答結果が「できる」は○、できないは「×」、わからないは「△」で表示される。
【００３６】
診断者はこの回答確認画面を見て、必要に応じて修正を行う。修正は、「修正」の表示をクリックすることで行われ、「修正」の表示をクリックすると、制御部１はステップＳＰ２３において、修正有りを判別し、ステップＳＰ２４において図１５に示す修正画面を表示する。修正画面では、分類，番号，修正前の回答，質問の内容が表示される。ここで、診断者は不明な分類，番号などに関して修正後の回答が○，×，△であるかなどに応じて修正を行う。修正が行われると、制御部１はステップＳＰ２５において、メモリ８に記憶されているデータベースの内容を修正する。
【００３７】
修正を完了すると「終了」の表示をクリックする。制御部１は、修正が行われるとその結果に基づいて乳幼児の発育状況の診断を行い、ステップＳＰ２６において図１６に示す診断結果画面を表示する。診断結果画面では、診断者用ＩＤや記入日などとともに診断結果が折れ線で表示される。すなわち、図１６の左側には縦軸に乳幼児の誕生後の月数が数値で示されており、横軸に運動，探索・操作，社会，食事，理解・言語の分類が示されている。
【００３８】
ステップＳＰ２７において、診断結果のファイルを保存したり、あるいは診断結果データベース８に記憶したり、診断結果をプリンタ３によって印字する。
【００３９】
診断プログラムは、各質問事項に関して正常に発育していると思われる場合の標準回答値を予め記憶していて、入力された回答と標準の回答とに基づいて、その乳幼児の発育の遅れがあるか否かを判別するようにしてもよく、あるいはその他の健康優良児などをモデルとして判別してもよい。
【００４０】
図１６に示した例では、診断の対象となる乳幼児が生後ほぼ１８ヶ月経過しており、運動，社会，食事，理解・言語に関しては、生後１８ヶ月における成長過程を示しているのに対して、探索・操作に関しては本来「机や椅子の下にもぐったりして遊ぶ程度まで成長している」はずであるのに対して、生後６ヶ月程度の乳幼児が行う程度で、「新聞を読んでいると引っ張ったりする」程度にしか成長しておらず発育が遅れていると診断されている。
【００４１】
なお、例えば、運動の分類に関して、生後１０〜１２ヶ月の乳幼児に対して、生後１月に対応した質問事項から順次表示して回答を入力するようにしてもよいが、質問事項が非常に多くなるので、正常に成長していれば行動するであろう成長月に対応した質問事項から順次入力し、所定の回答が得られない場合に、それ以前の成長過程における乳幼児に対する質問事項を表示して、その回答を入力するようにしてもよい。
【００４２】
また、図１６に示す診断結果には、診断項目について各分類のスコアが表示される。このスコアは図１７（ａ），（ｂ）に示すように、生後１〜１２ヶ月と、１〜３年の乳幼児に対して各項目の分類で「できる」，「わからない」，「できない」と回答したことが点数で示され、総合点の数値で示される。
【００４３】
上述のごとく、この実施形態によれば、家庭などにおいて、パーソナルコンピュータで乳幼児の成長過程を診断するための質問事項を表示部４に表示し、親がその表示を見てキーボード２から質問事項に対する回答を入力し、その回答結果に基づいて診断を行うことができる。より詳細な診断が必要であれば、回答を記録部５で例えばフレキシブルディスクなどの記憶媒体に記録して小児科医のところに持参し、回答結果を診断してもらうことが可能になり、従来のように病院などで医師が質問し、その都度親が回答しながらその結果に基づいて小児科医が診断する場合に比べて、親および小児科医の負担を大幅に軽減できる。
【００４４】
また、図２に示したインターネットを利用する場合には、表示部４に質問事項を表示し、キーボード２から回答を入力し、通信回線１０を介して直ちに病院などの小児科医に伝送するようにしてもよく、小児科医では伝送されてきた回答に基づいて成長過程を診断することも可能になる。この場合には、回答をフレキシブルディスクに記録する手間を省くことができる。
【００４５】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００４６】
この発明は、家庭や病院などにおいて、乳幼児の成長過程を診断する乳幼児発育診断装置などに利用できる。
【図面の簡単な説明】
【００４７】
【図１】この発明の一実施形態における乳幼児発育診断装置のブロック図である。
【図２】この発明の他の実施形態におけるインターネットを介して乳幼児の発育過程を診断する乳幼児発育診断装置のブロック図である。
【図３】この発明の一実施形態における質問動作のプログラムを示すフローチャートである。
【図４】この発明の一実施形態における診断動作のプログラムを説明するためのフローチャートである。
【図５】表示部の表示例を示し、診断者の名前入力画面を示す図である。
【図６】乳幼児用ＩＤ入力画面を示す図である。
【図７】基本情報入力画面を示す図である。
【図８】基本情報確認画面を示す図である。
【図９】回答途中のファイルの使用確認画面を示す図である。
【図１０】質問開始を知らせる画面表示を示す図である。
【図１１】運動の質問画面表示を示す図である。
【図１２】質問の終了を知らせる表示画面を示す図である。
【図１３】診断者用パスワードの入力画面を示す図である。
【図１４】回答の確認画面を示す図である。
【図１５】回答の修正画面を示す図である。
【図１６】診断結果の表示例を示す図である。
【図１７】スコアの計算表を示す図である。
【符号の説明】
【００４８】
１  制御部、２  キーボード、３  プリンタ、４  表示部、５  記録部、６〜８，１２〜１４  メモリ、１０  通信回線、１１  サーバ。
【図１】
2006107159.tif 000003
【図２】
2006107159.tif 000004
【図３】
2006107159.tif 000005
【図４】
2006107159.tif 000006
【図５】
2006107159.tif 000007
【図６】
2006107159.tif 000008
【図７】
2006107159.tif 000009
【図８】
2006107159.tif 000010
【図９】
2006107159.tif 000011
【図１０】
2006107159.tif 000012
【図１１】
2006107159.tif 000013
【図１２】
2006107159.tif 000014
【図１３】
2006107159.tif 000015
【図１４】
2006107159.tif 000016
【図１５】
2006107159.tif 000017
【図１６】
2006107159.tif 000018
【図１７】
2006107159.tif 000019